(57)【特許請求の範囲】
【請求項１】
光源装置から発した光を液晶表示素子の一方の面の外側に配置した導光板の光入射側端面から内部に導いて、導光板の液晶表示素子に遠位の第１面の内側で反射させ導光板の液晶表示素子に近位の第２面から出射させて液晶表示素子を照明する液晶照明装置であって、
Ｘ，Ｙ，Ｚを直交する三方向としたときに、
液晶表示素子は液晶材料を透明板で挟んで形成されてＸＹ方向に拡がり、導光板側にはＸＹ方向に拡がる偏光子が付設され、該偏光子はＸＹ面内でＹ方向から傾斜した透過軸を有し、
導光板は、光入射側端面はＸＺ方向に細長く拡がり、第１面と第２面はＸＹ方向に拡がり、第１面にはプリズムアレイが形成されていて、該プリズムアレイの山と谷の条線は、Ｘ方向に延伸していて、
光源装置は、導光板の光入射側端面に対向しＸ方向に長くＺ方向に短いように細長く拡がる導光板側面と、導光板側面に平行な反導光板側面と、導光板側面と反導光板側面とを結びＸ方向に長くＹ方向に短いように細長く拡がる２つの面とを有する光ガイドロッドの、前記Ｘ方向の２つの端面の少なくとも一方に発光ダイオードを取り付けて成り、
光ガイドロッドが、反導光板側から導光板側に向かって延伸する複数の第１傾斜面を有し、該第１傾斜面は反導光板側が発光ダイオードに近く導光板側が発光ダイオードに遠く、該第１傾斜面の反導光板側のＸ方向からの角度αが導光板側面から導光板の光源側端面に向かって垂直に出射する光をＳ波の光のみとする角度に選択されていて、
光ガイドロッドが第１物質で形成され、該第１物質の屈折率をｎ1、第１傾斜面を境にして光ガイドロッドに接し、第１物質から第１傾斜面に向かい第１傾斜面を透過した光が通る第２物質の屈折率をｎ2とした時に、
ｔａｎ（９０−α）＝ｎ2／ｎ1  を満たすように選択されている、ことを特徴とする液晶照明装置。
【請求項２】
光ガイドロッドを形成する第１物質の屈折率ｎ1が１．４９で、第２物質が空気であって、αが３２度にされている、ことを特徴とする請求項１に記載の液晶照明装置。
【請求項３】
第１傾斜面のＹ方向の反導光板側先端は光ガイドロッドの反導光板側面にあり、Ｙ方向の導光板側先端は光ガイドロッドの内部にあって、導光板側先端に光ガイドロッドの反導光板側面に達する第２傾斜面が結合されている、ことを特徴とする請求項１に記載の液晶照明装置。
【請求項４】
第１傾斜面と第２傾斜面の結合部の反導光板側面からの深さが、発光ダイオードから遠ざかるにつれて大きくなるようにされている、ことを特徴とする請求項３に記載の液晶照明装置。
【請求項５】
発光ダイオードは光ガイドロッドのＸ方向の２つの端部の一方にのみ取り付けられ、他方の端部にはλ／４板を介して反射板が取付けられており、第１傾斜面が、一対の、発光ダイオード側のダイオード側第１傾斜面と該ダイオード側第１傾斜面に対向する反ダイオード側第１傾斜面を含み、ダイオード側第１傾斜面と反ダイオード側第１傾斜面の間に第２物質が介装されている、ことを特徴とする請求項１に記載の液晶照明装置。
【請求項６】
第１傾斜面のＹ方向の反導光板側先端は光ガイドロッドの反導光板側面にあり、Ｙ方向の導光板側先端は光ガイドロッドの導光板側面にある、ことを特徴とする請求項５に記載の液晶照明装置。
【請求項７】
第１傾斜面に加えて第２傾斜面を有し、第２傾斜面が、一対の、発光ダイオード側のダイオード側第２傾斜面と該ダイオード側第２傾斜面に対向する反ダイオード側第２傾斜面を含み、ダイオード側第２傾斜面と反ダイオード側第２傾斜面の間に第２物質が介装されている、ことを特徴とする請求項５に記載の液晶照明装置。
【請求項８】
ダイオード側第１傾斜面と反ダイオード側第２傾斜面、および、反ダイオード側第１傾斜面とダイオード側第２傾斜面が、それぞれ、光ガイドロッドの内部でつながっている、ことを特徴とする請求項７に記載の液晶照明装置。
【発明の詳細な説明】
【０００１】
【発明の属する技術分野】
本発明は液晶表示素子を照明する液晶照明装置に関する。
【０００２】
【従来の技術】
液晶表示装置が多くの分野で大量に使用されているが、周知のように、液晶表示装置に用いられる液晶表示素子は自ら発光する機能を有していないために液晶照明装置により光を照射することが必要である。
例えば、液晶照明装置として、液晶表示素子の面に対向して導光板を配設し、導光板の側部の入射端面に対向して、発光ダイオードを導光板の側部の端面に平行な長手方向に延伸する細長い光ガイドロッドの端部に取付けた光源装置を配設し、発光ダイオードの発した光を光ガイドロッド内で反射、あるいは、屈折させて、光ガイドロッドの導光板側の面から導光板の入射面に向けて出射させるようにしたものがある。
【０００３】
ところで、液晶表示素子は、液晶材料を透明な板の間に封印したものに偏光子を付設して形成されているが、この偏光子は透過軸（通過できる光の振動面が含まれる軸）を有する。この透過軸は、通常、導光板の光入射側端面（＝液晶表示装置の一側端面）に平行ではないようにされている。
しかしながら、従来の液晶照明装置では、この液晶表示素子に付設される偏光子の透過軸に合う振動面を有する光が導かれておらず、液晶照明装置の発した光が必ずしも充分に利用されていなかった。
【０００４】
【発明が解決しようとする課題】
本発明は上記問題に鑑み、導光板を通して光源装置から出射した光で液晶表示面を照明する液晶照明装置において、光源装置から出射される光が液晶表示素子に付設される偏光子の透過軸を通りやすい光であるようにすることを目的とする。
【０００５】
【課題を解決するための手段】
請求項１の発明によれば、光源装置から発した光を液晶表示素子の一方の面の外側に配置した導光板の光入射側端面から内部に導いて、導光板の液晶表示素子に遠位の第１面の内側で反射させ導光板の液晶表示素子に近位の第２面から出射させて液晶表示素子を照明する液晶照明装置であって、
Ｘ，Ｙ，Ｚを直交する三方向としたときに、
液晶表示素子は液晶材料を透明板で挟んで形成されてＸＹ方向に拡がり、導光板側にはＸＹ方向に拡がる偏光子が付設され、該偏光子はＸＹ面内でＹ方向から傾斜した透過軸を有し、
導光板は、光入射側端面はＸＺ方向に細長く拡がり、第１面と第２面はＸＹ方向に拡がり、第１面にはプリズムアレイが形成されていて、該プリズムアレイの山と谷の条線は、Ｘ方向に延伸していて、
光源装置は、導光板の光入射側端面に対向しＸ方向に長くＺ方向に短いように細長く拡がる導光板側面と、導光板側面に平行な反導光板側面と、導光板側面と反導光板側面とを結びＸ方向に長くＹ方向に短いように細長く拡がる２つの面とを有する光ガイドロッドの、前記Ｘ方向の２つの端面の少なくとも一方に発光ダイオードを取り付けて成り、
光ガイドロッドが、反導光板側から導光板側に向かって延伸する複数の第１傾斜面を有し、該第１傾斜面は反導光板側が発光ダイオードに近く導光板側が発光ダイオードに遠く、該第１傾斜面の反導光板側のＸ方向からの角度αが導光板側面から導光板の光源側端面に向かって垂直に出射する光をＳ波の光のみとする角度に選択され、
光ガイドロッドが第１物質で形成され、該第１物質の屈折率をｎ1、第１傾斜面を境にして光ガイドロッドに接し、第１物質から第１傾斜面に向かい第１傾斜面を透過した光が通る第２物質の屈折率をｎ2とした時に、ｔａｎ（９０−α）＝ｎ2／ｎ1  を満たすように選択されていることを特徴とする液晶照明装置が提供される。
このように構成された液晶照明装置では、導光板の入射端面に向かう垂直な光はＳ波の光のみとされる。
【０００７】
請求項２の発明によれば、請求項１の発明において、光ガイドロッドを形成する第１物質の屈折率ｎ1が１．４９で、第２物質が空気であって、αが３２度にされている、ことを特徴とする液晶照明装置が提供される。
【０００８】
請求項３の発明によれば、請求項１の発明において、第１傾斜面のＹ方向の反導光板側先端は光ガイドロッドの反導光板側面にあり、Ｙ方向の導光板側先端は光ガイドロッドの内部にあって、導光板側先端に光ガイドロッドの反導光板側面に達する第２傾斜面が結合されていることを特徴とする液晶照明装置が提供される。
【０００９】
請求項４の発明によれば、請求項３の発明において、第１傾斜面と第２傾斜面の結合部の反導光板側面からの深さが、発光ダイオードから遠ざかるにつれて大きくなるようにされている、ことを特徴とする液晶照明装置が提供される。
【００１０】
請求項５の発明によれば、請求項１の発明において、発光ダイオードは光ガイドロッドのＸ方向の２つの端部の一方にのみ取り付けられ、他方の端部にはλ／４板を介して反射板が取付けられており、
第１傾斜面が、一対の、発光ダイオード側のダイオード側第１傾斜面と該ダイオード側第１傾斜面に対向する反ダイオード側第１傾斜面を含み、ダイオード側第１傾斜面と反ダイオード側第１傾斜面の間に第２物質が介装されている、ことを特徴とする液晶照明装置が提供される。
【００１１】
請求項６の発明によれば、請求項５の発明において、第１傾斜面のＹ方向の反導光板側先端は光ガイドロッドの反導光板側面にあり、Ｙ方向の導光板側先端は光ガイドロッドの導光板側面にある、ことを特徴とする液晶照明装置が提供される。
【００１２】
請求項７の発明によれば、請求項５の発明において、第１傾斜面に加えて第２傾斜面を有し、第２傾斜面が、一対の、発光ダイオード側のダイオード側第２傾斜面と該ダイオード側第２傾斜面に対向する反ダイオード側第２傾斜面を含み、ダイオード側第２傾斜面と反ダイオード側第２傾斜面の間に第２物質が介装されている、ことを特徴とする液晶照明装置が提供される。
【００１３】
請求項８の発明によれば、請求項７の発明において、ダイオード側第１傾斜面と反ダイオード側第２傾斜面、および、反ダイオード側第１傾斜面とダイオード側第２傾斜面が、それぞれ、光ガイドロッドの内部でつながっている、ことを特徴とする液晶照明装置が提供される。
【００１４】
【発明の実施の形態】
以下、添付の図面を参照して本発明の液晶照明装置を説明する。なお、各図は説明のために一部誇張して描いてある。
図１が本発明の第１の実施の形態の液晶照明装置を説明する概略図であって、図中に示したようにＸ、Ｙ方向を定義し、Ｚ方向は図の面に垂直な方向に定義する。
【００１５】
図１には光源装置１０と導光板２０が示されているが、光源装置１０は光ガイドロッド１１と光ガイドロッド１１のＸ方向の両端部に取り付けられた発光ダイオード１２から成る。光ガイドロッド１１はアクリル等の透明な樹脂で形成されていて、その屈折率ｎ１は１．４９である。
光ガイドロッド１１の反導光板側面１１ａには図示されるように三角形の溝１００が形成されている。溝１００は同じ間隔ｃで形成されているが溝深さｄは発光ダイオードから遠ざかるにつれて大きくされ中心部で最も深くなるようにされている。
一方、導光板２０の表面には多数のプリズム２３から成るプリズムアレイ２２が形成され、プリズム２３の山２３ａと谷２３ｂはそれぞれＸ方向に延伸する。
【００１６】
この実施の形態の場合には、ピッチＰは０．３ｍｍとされ、溝深さｄは以下の式を満たすようにされている。
ｄ＝０．０１５×Ｎ２＋０．５×Ｎ＋１５  （Ｎ＝１〜８３）
＝０．０１５×｛１６６−（Ｎ−１）｝２＋０．５×｛１６６−（Ｎ−１）｝＋１５  （Ｎ＝８４〜１６６）［単位はμｍ］
但し、溝１００は、１６６個形成されていて、Ｎは溝１００の番号であって、左端の溝１００の番号が１、右端の溝の番号が１６６である。図２が溝１００の深さｄの変化を示す図であって、溝深さｄは両端では１５．５μｍ、中心では１５９．８μｍである。
【００１７】
中心より左側に示される溝１００の群と、中心より右側に示される溝１００の群は、それぞれ、大きさが異なるが相似である。
溝１００は光ガイドロッド１１の反導光板側面の発光ダイオード１２に近いところから角度αで内側に傾斜する第１傾斜面１１０と、反導光板側面の発光ダイオード１２に遠いところから角度βで内側に傾斜する第２傾斜面１２０とを有し、この実施の形態では第１傾斜面１１０の角度αは３２度、第２傾斜面１２０の角度βは８７度とされている。
溝１００を拡大した図３に示されるように、第１傾斜面１１０と第２傾斜面１２０は底面１３０で結ばれていて、底面１３０の長さは一定で０．００５ｍｍである。
【００１８】
図４は、第１傾斜面１１０の角度αを３２度とした理由を説明する図であって、横軸は第１傾斜面１１０の角度αを示し、縦軸はＰ波とＳ波を含む入射光の強さに対する光ガイドロッド１１の導光板側面１１ａから出射されるＰ波の光の強さを示している。実線で示されるのは光ガイドロッド１１の導光板側面１１ａから垂直に出る垂直成分の光についての値であり、破線で示されるのは全成分の積分値についての値である。この図４から理解されるように、角度αが３２度の時が最もＰ波が少なく、Ｓ波が最も多くなる。
【００１９】
図５は、上記のように３２度に傾斜した第１傾斜面１１０に入射して導光板側面１１ａから垂直に出る垂直成分の光の経路を示す図であって、第１傾斜面１１０で透過光と反射光に分かれ反射光が垂直成分の光となる。
図５は３２度に傾斜した第１傾斜面１１０に入射したＰ波とＳ波がどのような割合で反射と透過するかを入射角の変化に対して示す図であって、太い実線で示すのがＳ波の反射割合、太い破線で示すのがＳ波の透過割合であり、細い実線で示すのがＰ波の反射割合、細い破線で示すのがＰ波の透過割合である。
この図から入射角が３４°の時にはＳ波は約１４％反射し約８６％透過し、Ｐ波は殆ど反射せず略全てが透過することがわかる。
【００２０】
図６は、上記のように３２度に傾斜した第１傾斜面１１０に入射角３４°で入射した光の進路を示す図であって、この場合、反射光は導光板側面１１ａから垂直に出る垂直成分の光となる。
【００２１】
図７は上記のように３２度に傾斜した第１傾斜面１１０に入射して反射した反射光の消光比（Ｐ波／Ｐ波＋Ｓ波）、すなわち図５のグラフの細い実線と太い実線の割合を示すグラフであって、図からわかるように入射角が３４°の時が最も消光比が小さく（ゼロ）、Ｓ波のみが出射される。
なお、上記の値は、屈折率ｎ１が前述したように１．４９の場合のものである。
【００２２】
図８は上記のように構成された光ガイドロッド１２を含む光源装置１０から出た光が液晶表示素子３０に達するまでの光の進路を説明する図であって分解図で示してあるが、実際は各部材は密着されている。
発光ダイオード１２を出た光は上述のように光ガイドロッド１１の第１傾斜面１１０の内側で反射して、導光板側面１１ａに向かい、導光板側面１１ａから出射して、導光板２０の入射面２１から導光板２０内に入射する。導光板２０に入射する光は、垂直に入射する光はＳ波のみとなり、その他斜めに入射する光もＳ波が多い光となる。
【００２３】
導光板２０内に入射した光は導光板２０の表面のプリズム２３の内側の面で反射して、導光板２０の液晶表示素子側の面から出射する。導光板２０の液晶表示素子側の面から出射した光は偏光子４０を通過してから液晶表示素子３０に到達する。偏光子４０の透過軸Ｗは、Ｘ軸に平行でもなく、直角でもなく、Ｘ軸に対して約４５度傾斜しているが、導光板２０に入射するときにＳ波が多い光とされており導光板２０を出るときもＳ波が多い光となっているので、偏光子４０の透過軸Ｗを透過しやすい。したがって、多くの光が液晶表示素子３０に達し、液晶表示素子３０の輝度が向上する。
【００２４】
次に、第２の実施の形態の特徴について説明する。図９が第２の実施の形態の光ガイドロッド１３の構造を示す図であって、光ガイドロッド１３は２種類の材料物質で形成されている、すなわち、図中白抜きで示されている第１物質から成る第１物質部分１３Ａと図中網掛けして示されている第２物質から成る第２物質部分１３Ｂで形成されている。第１物質部分１３Ａは第１の実施の形態と同様な屈折率１．４９を有するアクリルで形成であるが第２物質部分１３Ｂは屈折率がより低い接着材である。
【００２５】
一方、光ガイドロッド１３のＸ方向の端部には発光ダイオード１２が付設されているが、第１の実施の形態とは異なり、一方の端部にのみ付設されている。そして他方の端部には１／４波長板１４を介して反射板１５が付設されている。また、光ガイドロッド１３の反導光板側面１３ａには反射板１８が付設されている。
【００２６】
第１物質部分１３Ａは、互いに平行な発光ダイオード側第１傾斜面２１０と反発光ダイオード側第１傾斜面２２０、および、導光板側面、反導光板側面を有する。
第２物質部分１３Ｂは、隣接する２つの第１物質部分１３Ａの間を埋め、導光板側面、反導光板側面は第１物質部分１３Ａの導光板側面、反導光板側面と面一になるようにされている。
発光ダイオード側第１傾斜面２１０と反発光ダイオード側第１傾斜面２２０のＸ方向からの角度は約４５度とされている。第１の実施の形態で第１傾斜面の角度が３２とされているのに対し、このような角度とされるのは、第２物質部分１３Ｂの屈折率ｎ２が第１物質部分１３Ａの屈折率ｎ１に近いためである。
【００２７】
発光ダイオード１２から光ガイドロッド１３内に入射した光は、Ｐ波とＳ波を含んでいるが、第１部材１３Ａの発光ダイオード側第１面２１０において反射光と透過光に分かれ、反射光はＳ波が多い。透過光は第２部材１３Ｂ内を通り、さらに次の第１部材１３Ａ内に反発光ダイオード側第１傾斜面２２０から入射するがこの時は第２部材１３Ｂの屈折率ｎ２＜第１部材１３Ｂの屈折率ｎ１であることから反射はおこらない。第１部材１３Ａから出る時には上述の作用が同様におこなわれる。
【００２８】
上記のような作用を繰り返して光ガイドロッド１３の反発光ダイオード側端面１３ｃに達した光は反発光ダイオード側端面１３ｃを出て１／４波長板１４を通り、反射板１５で反射して再び１／４波長板１４を通り反発光ダイオード側端面１３ｃから光ガイドロッド１３内に入射し、第１部材１３Ａ内を発光ダイオード側端面に向かって進行するする。この光は１／４波長板１４の作用によって、Ｓ波のみとなっている。
【００２９】
発光ダイオード側端面１３ｄに向かって進行する光は反発光ダイオード側第１傾斜面２２０で反射して反導光板側面から光ガイドロッド１３外に出るが反射板１６で反射して再び光ガイドロッド１３内に入射する。光ガイドロッド１３内に再入射した光は反発光ダイオード側第１傾斜面２２０に到達するがこの面への入射角度（面への法線からの角度）が小さいため殆ど透過し、その後、第２部材１３Ｂを通り、隣接する第１部材１３Ａの発光ダイオード側第１面２１０に達するが、ここでは、前述した屈折率の関係から反射はせず、隣接する第１部材１３Ａの導光板側面から導光板２０の入射面２１に向かって出射する。反発光ダイオード側面から光ガイドロッド１３内に再入射した光はＳ波のみとされており、上記のように進んで導光板２０の入射面２１に向かって出射する光もＳ波のみである。
【００３０】
第２の実施の形態では、上記のように光が進行し、導光板２０には、殆どＳ波の光のみが入射する。導光板２０内に入射する光は、第１の実施の形態で説明したような性質を有し、導光板２０を出て偏光子（図７参照）４０の透過軸を通りやすい光となっており、液晶表示素子３０（図７参照）の輝度が向上する。
【００３１】
次に、第３の実施の形態の特徴について説明する。図１０が第３の実施の形態の光ガイドロッド１７の構造を示す図であって、第２の実施の形態と同様に光ガイドロッド１７は２種類の材料で形成されている、すなわち、図中白抜きで示されている第１物質部分１７Ａと図中網掛けして示されている第２物質部分１７Ｂで形成されている。
【００３２】
ただし、第１物質部分１７Ａおよび第２物質部分１７Ｂは、第２の実施の形態のように、細かく分離されているのではなく、連続した第２物質部分１７Ｂにより第１物質部分１７ＡがＹ方向に２つに分割されているだけである。
すなわち、反導光板側の第１物質部分１７Ａ１の中央側（導光板側）には第１傾斜面３１０に連続して第２傾斜面３２０が形成され、導光板側の第１物質部分１７Ａ２の中央側（反導光板側）には第１傾斜面４１０に連続して第２傾斜面４２０が形成されている。
【００３３】
第１物質部分１７Ａは第１の実施の形態と同様な屈折率１．４９を有するアクリルで形成であるが、第２物質部分１７Ｂは屈折率がより低い接着材である。
各傾斜面のＸ方向からの角度は約４５度とされている。第１の実施の形態で第１傾斜面の角度が３２とされているのに対し、このような角度とされるのは、第２物質部分１７Ｂの屈折率ｎ２が第１物質部分の屈折率ｎ１に近いためである。
【００３４】
発光ダイオード１２から光ガイドロッド１７内に入射した光は、Ｐ波とＳ波を含んでいるが、この実施の形態の場合には、例えば、実線で示されているように、導光板側の第１物質部分１７Ａ２の第２傾斜面４２０において反射光と透過光に分かれ、反射光はＳ波が多い。透過光は、次に第２部材１７Ｂ内を通り、導光板側の第１物質部分１７Ａ２に第１傾斜面３２０から入射するが、この時は第２部材１７Ｂの屈折率ｎ２＜第１部材１７Ｂの屈折率ｎ１であることから反射はおこらない。そして再び導光板側の第１物質部分１７Ａ２を通って上述の作用が同様におこなわれる。
【００３５】
上記のような作用を繰り返して光ガイドロッド１７の反発光ダイオード側端面に達した光は反発光ダイオード側端面１７ｃを出て１／４波長板１４を通り、反射板１５で反射して再び１／４波長板１４を通り反発光ダイオード側端面１７ｃから光ガイドロッド１７内に入射し、反導光板側の第１物質部分１７Ａ１を発光ダイオード側端面１７ｄに向かって進行する。この光は１／４波長板１４の作用によって、Ｓ波のみとなっている。
【００３６】
発光ダイオード側端面１７ｄに向かって進行する光は反導光板側の第１物質部分１７Ａ１の第２傾斜面３２０で反射光と透過光に分かれる。反射光は反導光板側面から光ガイドロッド１７外に出るが反射板１６で反射して再び光ガイドロッド１７内に入射する。光ガイドロッド１７内に再入射した光は導光板側の第１物質部分１７Ａ２の第２傾斜面３２０に到達するが、この光は殆どＳ波であって、第２部材１７Ｂと導光板側の第１物質部分１７Ａ２を透過して導光板側面から導光板２０の入射面２１に向かって出射する。
【００３７】
一方、透過した光は、この図で示している場合には、反導光板側の第１物質部分１７Ａ１の第１傾斜面３１０で反射光と透過光に分かれ、反射光は導光板側の第１物質部分１７Ａ２を透過して導光板側面１７ａから導光板２０の入射面２１に向かって出射し、透過光は、反導光板側の第１物質部分１７Ａ１の次の第２傾斜面３２０で同じことをおこなう。
【００３８】
第３の実施の形態では、上記のように光が進行し、導光板２０には、殆どＳ波の光のみが入射する。導光板２０内に入射する光は、第１の実施の形態で説明したような性質を有し、導光板２０を出て偏光子（図７参照）４０の透過軸を通りやすい光となっており、液晶表示素子３０（図７参照）の輝度が向上する。
【００３９】
【発明の効果】
各請求項に記載の発明は、光源装置から発した光を液晶表示素子の一方の面の外側に配置した導光板の光入射側端面から内部に導いて、導光板の液晶表示素子に遠位の第１面の内側で反射させ導光板の液晶表示素子に近位の第２面から出射させて液晶表示素子を照明する液晶照明装置であるが、
Ｘ，Ｙ，Ｚを直交する三方向としたときに、
液晶表示素子は液晶材料を透明板で挟んで形成されてＸＹ方向に拡がり、導光板側にはＸＹ方向に拡がる偏光子が付設され、該偏光子はＸＹ面内でＹ方向から傾斜した透過軸を有し、
導光板は、光入射側端面はＸＺ方向に細長く拡がり、第１面と第２面はＸＹ方向に拡がり、第１面にはプリズムアレイが形成されていて、該プリズムアレイの山と谷の条線は、Ｘ方向に延伸していて、
光源装置は、導光板の光入射側端面に対向しＸ方向に長くＺ方向に短いように細長く拡がる導光板側面と、導光板側面に平行な反導光板側面と、導光板側面と反導光板側面とを結びＸ方向に長くＹ方向に短いように細長く拡がる２つの面とを有する光ガイドロッドの、前記Ｘ方向の２つの端面の少なくとも一方に発光ダイオードを取り付けて成り、
光ガイドロッドが、反導光板側から導光板側に向かって延伸する複数の第１傾斜面を有し、該第１傾斜面は反導光板側が発光ダイオードに近く導光板側が発光ダイオードに遠く、該第１傾斜面の反導光板側のＸ方向からの角度αが導光板側面から導光板の光源側端面に向かって垂直に出射する光をＳ波の光のみとする角度に選択されている。
このように構成された液晶照明装置では、導光板の入射端面に向かう垂直な光はＳ波の光のみとされ、垂直以外の光もＳ波が多く、導光板を通った後に、液晶表示素子の手前に配設された偏光子を通るときに、偏光子の透過軸とあった光が多く液晶表示素子の輝度が向上する。
【図面の簡単な説明】
【図１】第１の実施の形態の上面図である。
【図２】第１の実施の形態の光ガイドロッドの溝の深さの変化を示す図である。
【図３】第１の実施の形態の光ガイドロッドの拡大図である。
【図４】第１の実施の形態の光ガイドロッドの発光ダイオード側の傾斜面の角度と消光比の関係を示す図である。
【図５】入射光中のＳ波の反射割合と透過割合、および、Ｐ波の反射割合と透過割合を入射角の変化に対して示す図である。
【図６】第１の実施の形態の光ガイドロッド内の代表的な光の進路を示す図である。
【図７】第１の実施の形態の光ガイドロッドの発光ダイオード側の傾斜面に当たる光の入射角と消光比の関係を示す図である。
【図８】第１の実施の形態の液晶照明装置を含む液晶表示装置における光の進行を説明する図である。
【図９】第２の実施の形態の上面図である。
【図１０】第３の実施の形態の上面図である。
【符号の説明】
１０…光源
１１…光ガイドロッド
１２…発光ダイオード
１３…光ガイドロッド
１３Ａ…第１物質部分
１３Ｂ…第２物質部分
１４…１／４波長板
１５…反射板
１６…反射板
１７…光ガイドロッド
１７Ａ１…（反導光板側の）第１物質部分
１７Ａ２…（導光板側の）第１物質部分
１７Ｂ…第２物質部分
２０…導光板
２３…プリズム
２３ａ…山
２３ｂ…谷
３０…液晶表示素子
４０…偏光子
１００…溝
１１０…第１傾斜面
１２０…第２傾斜面
２１０…発光ダイオード側第１傾斜面
２２０…反発光ダイオード側第１傾斜面
３１０…（反導光板側第１物質部分の）第１傾斜面
３２０…（反導光板側第１物質部分の）第２傾斜面
４１０…（導光板側第１物質部分の）第１傾斜面
４２０…（導光板側第１物質部分の）第２傾斜面
【図１】
0003594578.tif 000002
【図２】
0003594578.tif 000003
【図３】
0003594578.tif 000004
【図４】
0003594578.tif 000005
【図５】
0003594578.tif 000006
【図６】
0003594578.tif 000007
【図７】
0003594578.tif 000008
【図８】
0003594578.tif 000009
【図９】
0003594578.tif 000010
【図１０】
0003594578.tif 000011